(57)【要約】【課題】狭いスペースで迅速かつ容易に装着できるハーネス型安全帯を提供する。【解決手段】胴ベルト1に連結された胸当てベルト2と、肩掛けベルト4a、4bと、腿ベルト5、6を備える。肩掛けベルトは、着用者の背面側において互いに交差した状態で胴ベルトに連結され、着用者の正面側において互いにＶ字状に交差した状態で胸当てベルトに連結される。各腿ベルトは、第１および第２の連結ベルト7、8によって胴ベルトに連結される。第１の連結ベルトは、逆Ｖ字形状をなし、上端部が胸当てベルトに連結される一方、左右の下端部がそれぞれ腿ベルトに連結される。着用者の正面側において、胴ベルトが、胸当てベルトとの連結部の両側に各１つの第１のバックル12、13からなる切離し可能な連結部を有し、各腿ベルトが、第１の連結ベルトとの連結部の両側に各１つの第２のバックル14〜17からなる切離し可能な連結部を有する。【選択図】図１
0003159873.tif 000002
【実用新案登録請求の範囲】
【請求項１】
着用者の腰のまわりに締付け固定された胴ベルトと、
前記着用者の正面側において前記胴ベルトに直交して連結された胸当てベルトと、
前記着用者の左右の肩にそれぞれ掛けられた一対の肩掛けベルトと、を備え、
前記一対の肩掛けベルトは、前記着用者の背面側において互いに交差した状態で前記胴ベルトに連結される一方、前記着用者の正面側において互いにＶ字状に交差した状態で前記胸当てベルトの上端部に連結され、さらに、
前記着用者の左右の腿のそれぞれのまわりに締付け固定された一対の腿ベルトと、
前記着用者の正面側において、前記一対の腿ベルトのそれぞれを前記胴ベルトに連結する第１の連結ベルトと、
前記着用者の背面側において、前記一対の腿ベルトのそれぞれを前記胴ベルトに連結する第２の連結ベルトと、を備え、
前記第１の連結ベルトは、逆Ｖ字形状をなし、上端部が前記胸当てベルトの下端部に連結される一方、左右の下端部がそれぞれ対応する前記腿ベルトに連結され、
前記着用者の正面側において、前記胴ベルトが、前記胸当てベルトとの連結部の両側にそれぞれ、各１つの、第１のバックルからなる切離し可能な連結部を有するとともに、前記一対の腿ベルトのそれぞれが、前記第１の連結ベルトとの連結部の両側にそれぞれ、各１つの、第２のバックルからなる切離し可能な連結部を有することを特徴とするハーネス型安全帯。
【請求項２】
前記着用者の背面側において前記胴ベルトに直交して連結された背当てベルトをさらに備え、前記一対の肩掛けベルトは、前記着用者の背面側において互いにＶ字状に交差した状態で前記背当てベルトの上端部に連結され、前記第２の連結ベルトは、逆Ｖ字形状をなし、上端部が前記背当てベルトの下端部に連結される一方、左右の下端部がそれぞれ対応する前記腿ベルトに連結されていることを特徴とする請求項１に記載のハーネス型安全帯。
【請求項３】
前記一対の肩掛けベルトは、前記着用者の背面側においてＸ字状に交差し、当該Ｘ字状の交差部から下方にのびる前記肩掛けベルトの下端部のそれぞれが前記胴ベルトに連結されていることを特徴とする請求項１に記載のハーネス型安全帯。
【請求項４】
前記第１および第２のバックルは、同じ型式のバックルであることを特徴とする請求項１〜請求項３のいずれかに記載のハーネス型安全帯。
【考案の詳細な説明】
【技術分野】
【０００１】
本考案は、ハーネス型安全帯、特に、主として消防士が消火活動または救助活動中に着用するハーネス型安全帯に関するものである。
【背景技術】
【０００２】
主として消防士が消火活動または救助活動中に着用するハーネス型安全帯は、電線工事や建築工事等の現場で作業者が装着するものと異なる特殊な構造を有している。
この型式のハーネス型安全帯は、例えば図７に示すように、着用者（図示はしない）の胴のまわりに締付け固定された胴ベルト３０と、着用者の左右の腿のそれぞれのまわりに締付け固定された一対の腿ベルト３１、３２を備えている。胴ベルト３０は左右に各１つのバックル４５（図７では、右側のみ示す）を備え、腿ベルト３１、３２はそれぞれ１つのバックル４６、４７を備えている。また、胴ベルト３０には胴当て３０ａが取り付けられ、各腿ベルト３１、３２には腿当て３１ａ、３２ａが取り付けられている。
【０００３】
そして、一対の腿ベルト３１、３２は、それぞれ、着用者の正面側において、第１の連結ベルト３５ａ、３５ｂによって、胴ベルト３０に連結されている。この場合、第１の連結ベルト３５ａ、３５ｂは、それぞれ、下端部が折り返し縫合されて筒状をなし、この筒状部に対応する腿ベルト３１、３２が挿通されることで、第１の連結ベルト３５ａ、３５ｂと腿ベルト３１、３２の連結部が形成され、また、上端部が折り返し縫合されて筒状をなし、この筒状部に胴ベルト３０が挿通されることで、第１の連結ベルト３５ａ、３５ｂと胴ベルト３０の連結部が形成されている。
さらに、第１の連結ベルト３５ａ、３５ｂの上端側筒状部には、ランヤードを連結するためのＤ環３７が嵌め込まれ、それによって、第１の連結ベルト３５ａ、３５ｂが、上端部で束ねられ、全体として逆Ｖ字状をなしている。
【０００４】
また、一対の腿ベルト３１、３２は、それぞれ、着用者の背面側において、第２の連結ベルト３６ａ、３６ｂによって、胴ベルト３０に連結されている。第２の連結ベルト３６ａ、３６ｂは、第１の連結ベルト３５ａ、３５ｂと同じ構成を有し、第１の連結ベルト３５ａ、３５ｂと同様にして、胴ベルト３０および腿ベルト３１、３２と連結されている。
【０００５】
第１の連結ベルト３５ａ、３５ｂの上側筒状部には、胸当てベルト３９が、カラビナ３８によって連結されている。胸当てベルト３９は、また、上端部が、連結金具４１の一方のスリットに挿通された後、折り返し縫合され、それによって、胸当てベルト３９の上端に連結金具４１が取り付けられる。連結金具４１は、ランヤードを連結するためのＤ環を備えている。
【０００６】
第２の連結ベルト３６ａ、３６ｂの上側筒状部には、背当てベルト４０が、（図示しない）リング状コネクタによって連結されている。また、図示しないが、背当てベルト４０の上端には、胸当てベルト３９の連結金具４１と同じ連結金具が同様にして取り付けられている。
【０００７】
ハーネス型安全帯は、また、着用者の左右の肩にそれぞれ掛けられた一対の肩掛けベルト４２ａ、４２ｂを備えている。一対の肩掛けベルト４２ａ、４２ｂは、胸当てベルト３９および背当てベルト４０の連結金具４１の他方のスリットに挿通され、それらの連結金具の位置でＶ字状に折り返され、かつベルトの長さ調節用のバックル４３によって両端が連結されて環状とされた一本のベルトからなっている。肩掛けベルト４２ａ、４２ｂには、肩当て４６が取り付けられている。
【０００８】
そして、このハーネス型安全帯の装着は、以下の順序でなされる。
（１）まず、装着に先立って、バックル４５を通じてベルトの長さを調節することによって胴ベルト３０が弛められるとともに、腿ベルト３１、３２のそれぞれのバックル４６、４７が切り離され、かつカラビナ３８が第１の連結ベルト３５ａ、３５ｂから切り離される。
（２）そして、使用者は、胴ベルト３０の開口に足先を入れ、胴ベルト３０を履いて腰まで持ち上げ（図８Ａ参照）、バックル４５を通じてベルトの長さを調節することにより、胴ベルト３０を腰のまわりに締付け固定する（図８Ｂ参照）。
（３）次に、使用者は、腿ベルト３１、３２のバックル４６、４７をそれぞれ連結し（図８Ｃ参照）、その後、バックル４６、４７を通じてベルトの長さを調節することにより、腿ベルト３１、３２を腿のまわりに締付け固定する（図９Ａ参照）。
（４）その後、使用者は、一対の肩掛けベルト４２ａ、４２ｂを後側から引き上げ、一対の肩ベルト４２ａ、４２ｂ間の開口に頭部が入るようにして被る（図９Ｂ参照）。
（５）そして、使用者は、カラビナ３８を第１の連結ベルト３５ａ、３５ｂの上側筒状部に連結し（図９Ｃ参照）、バックル４３を通じて肩掛けベルト４２ａ、４２ｂの長さを調節し、装着が完了する。
【０００９】
このハーネス型安全帯は、装着するのに手間がかかり、しかも、装着過程で、胴ベルト３０を履いて腰まで引き上げて腰に固定した後、肩掛けベルトを後側から引き上げて被る動作が要求されるので、狭いスペースで迅速に装着することができなかった。
ところで、緊急出動時の消防士を考えると、一刻も早く消火または救助活動を開始する必要があり、無駄な時間をなくすために、出動中の車内で座席に座ったままでハーネス型安全帯を装着することが好ましいが、この従来のハーネス型安全帯では、これを実現することができなかった。
【先行技術文献】
【非特許文献】
【００１０】
【非特許文献１】ペツル社、”２０１０年製品カタログ”［ｏｎｌｉｎｅ］、インターネットＵＲＬ＜http://petzl.com/catalogue/Petzl-catalog-PRO-10-JP.pdf＞
【考案の概要】
【考案が解決しようとする課題】
【００１１】
したがって、本考案の課題は、狭いスペースで迅速かつ容易に装着できるハーネス型安全帯を提供することにある。
【課題を解決するための手段】
【００１２】
上記課題を解決するため、本考案は、着用者の腰のまわりに締付け固定された胴ベルトと、前記着用者の正面側において前記胴ベルトに直交して連結された胸当てベルトと、前記着用者の左右の肩にそれぞれ掛けられた一対の肩掛けベルトと、を備え、前記一対の肩掛けベルトは、前記着用者の背面側において互いに交差した状態で前記胴ベルトに連結される一方、前記着用者の正面側において互いにＶ字状に交差した状態で前記胸当てベルトの上端部に連結され、さらに、前記着用者の左右の腿のそれぞれのまわりに締付け固定された一対の腿ベルトと、前記着用者の正面側において、前記一対の腿ベルトのそれぞれを前記胴ベルトに連結する第１の連結ベルトと、前記着用者の背面側において、前記一対の腿ベルトのそれぞれを前記胴ベルトに連結する第２の連結ベルトと、を備え、前記第１の連結ベルトは、逆Ｖ字形状をなし、上端部が前記胸当てベルトの下端部に連結される一方、左右の下端部がそれぞれ対応する前記腿ベルトに連結され、前記着用者の正面側において、前記胴ベルトが、前記胸当てベルトとの連結部の両側にそれぞれ、各１つの、第１のバックルからなる切離し可能な連結部を有するとともに、前記一対の腿ベルトのそれぞれが、前記第１の連結ベルトとの連結部の両側にそれぞれ、各１つの、第２のバックルからなる切離し可能な連結部を有することを特徴とするハーネス型安全帯を構成したものである。
【００１３】
上記構成において、好ましくは、前記着用者の背面側において前記胴ベルトに直交して連結された背当てベルトをさらに備え、前記一対の肩掛けベルトは、前記着用者の背面側において互いにＶ字状に交差した状態で前記背当てベルトの上端部に連結され、前記第２の連結ベルトは、逆Ｖ字形状をなし、上端部が前記背当てベルトの下端部に連結される一方、左右の下端部がそれぞれ対応する前記腿ベルトに連結されている。
【００１４】
また好ましくは、前記一対の肩掛けベルトは、前記着用者の背面側においてＸ字状に交差し、当該Ｘ字状の交差部から下方にのびる前記肩掛けベルトの下端部のそれぞれが前記胴ベルトに連結されている。
また、上記構成において、前記第１および第２のバックルを同じ型式のバックルとしてもよい。
【考案の効果】
【００１５】
本考案によれば、ハーネス型安全帯を頭から被った後、体の正面側において、腰の位置の２箇所のバックルと、左右の腿のそれぞれの２箇所のバックルを連結するだけで、従来例のように装着時にハーネス型安全帯を履く動作をせずに、狭いスペース内でも、迅速かつ容易にハーネス型安全帯を装着することができる。
【図面の簡単な説明】
【００１６】
【図１】明瞭にするために着用者を省略した、本考案の１実施例によるハーネス型安全帯の着用状態の立体図である。
【図２】図１に示したハーネス型安全帯の、胴ベルトおよび腿ベルトのバックルからなる連結部を切り離した状態を示す図１に類似の図である。
【図３】図１に示したハーネス型安全帯の装着方法を説明する写真である。
【図４】図１に示したハーネス型安全帯の装着方法を説明する写真である。
【図５】図１に示したハーネス型安全帯の装着方法を説明する写真である。
【図６】本考案の別の実施例によるハーネス型安全帯を示す図２に類似の図である。
【図７】従来のハーネス型安全帯の立体図である。
【図８】図７に示した従来のハーネス型安全帯の装着方法を説明する図である。
【図９】図７に示した従来のハーネス型安全帯の装着方法を説明する図である。
【考案を実施するための形態】
【００１７】
以下、添付図面を参照して本考案の好ましい実施例について説明する。図１は、明瞭にするために着用者を省略した、本考案の１実施例によるハーネス型安全帯の着用状態の立体図であり、図２は、図１に示したハーネス型安全帯の、胴ベルトおよび腿ベルトのバックルからなる連結部を切り離した状態を示す図１に類似の図である。
【００１８】
図１および図２を参照して、本考案によるハーネス型安全帯は、（図示しない）着用者の胴のまわりに締付け固定された胴ベルト１と、着用者の正面側において胴ベルト１に直交して連結された胸当てベルト２と、着用者の背面側において胴ベルト１に直交して連結された背当てベルト３を備えている。胸当てベルト２は、下端部が、連結金具２０の一方のスリットに挿通された後、折り返し縫合されて筒状をなし、この筒状部に胴ベルト１が挿通されることで、胴ベルト１と胸当てベルト２との連結部９が形成されている。胴ベルト１と背当てベルト３との連結部もこれと同様の構成を有している。
【００１９】
胸当てベルト２および背当てベルト３は、それぞれ、上端部が、連結金具１９の一方のスリットに挿通された後、折り返し縫合され、それによって、胸当てベルト２および背当てベルト３のそれぞれの上端に連結金具１９が取り付けられる。連結金具１９には、ランヤードを連結するためのＤ環が備えられている。
【００２０】
ハーネス型安全帯は、また、着用者の左右の肩にそれぞれ掛けられた一対の肩掛けベルト４ａ、４ｂを備えている。この実施例では、一対の肩掛けベルト４ａ、４ｂは、胸当てベルト２および背当てベルト３の各連結金具１９の他方のスリットに挿通され、連結金具１９の位置でＶ字状に折り返され、かつベルトの長さ調節用の第３のバックル１８によって両端が連結されて環状とされた一本のベルトからなっている。
【００２１】
この実施例では、一対の肩掛けベルト４ａ、４ｂを１本のベルトから形成したが、一対の肩掛けベルト４ａ、４ｂの構成は、これに限定されず、着用者の正面側において互いにＶ字状に交差した状態で胸当てベルト２の上端部に連結されるとともに、着用者の背面側において互いにＶ字状に交差した状態で背当てベルト３の上端部に連結される構成となっておればよく、一対の肩掛けベルト４ａ、４ｂを独立な２本のベルトから形成することもできる。
【００２２】
本考案によるハーネス型安全帯は、また、着用者の左右の腿のそれぞれのまわりに締付け固定された一対の腿ベルト５、６と、着用者の正面側および背面側において、それぞれ、一対の腿ベルト５、６のそれぞれを胴ベルト１に連結する第１および第２の連結ベルト７、８を備えている。
第１の連結ベルト７は、中央部が、胸当てベルト２の下端部の連結金具２０の他方のスリットに挿通されて逆Ｖ字状に折り返され、さらに、一端部７ａおよび他端部７ｂが、それぞれ、対応する腿ベルト５、６に連結された１本のベルトからなっている。第１の連結ベルト７の一端部７ａおよび他端部７ｂは、それぞれ、折り返し縫合されて筒状をなし、この筒状部に対応する腿ベルト５、６が挿通されることで、第１の連結ベルト７とそれぞれの腿ベルト５、６との連結部１０、１１が形成されている。
第２の連結ベルト８も第１の連結ベルト７と同様の構成を有し、第１の連結ベルト７と同様にしてそれぞれの腿ベルト５、６と連結されている。
【００２３】
第１および第２の連結ベルト７、８の構成は、この実施例に限定されず、逆Ｖ字形状をなし、着用者の正面側および背面側において、それぞれ、上端部が胸当てベルト２および背当てベルト３の下端部に連結される一方、左右の下端部がそれぞれ対応する腿ベルト５、６に連結される構成となっておれば、どのような構成でもよい。
【００２４】
さらに、胴ベルト１は、着用者の正面側において、胸当てベルト２との連結部９の両側にそれぞれ、各１つの、第１のバックル１２、１３からなる切離し可能な連結部を有している。また、一対の腿ベルト５、６は、それぞれ、第１の連結ベルト７との連結部１０、１１の両側にそれぞれ、各１つの、第２のバックル１４〜１７からなる切離し可能な連結部を有している。
【００２５】
第１のバックル１２、１３は、胴ベルト１の一方の端に取り付けられたタングプレート１２ｂ、１３ｂと、胴ベルト１の他方の端に取り付けられ、タングプレート１２ｂ、１３ｂを係止可能なバックル本体１２ａ、１３ａとからなっている。そして、タングプレート１２ｂ、１３ｂがバックル本体１２ａ、１３ａに差し込まれ、タングプレート１２ｂ、１３ｂの開口内にバックル本体１２ａ、１３ａの係合突起が突き出すことによって、第１のバックル１２、１３が連結され、さらに、バックル本体１２ａ、１３ａの係合突起がタングプレート１２ｂ、１３ｂの開口から引っ込められると同時に、タングプレート１２ｂ、１３ｂがバックル本体１２ａ、１３ａから引き抜かれることによって、第１のバックル１２、１３が切り離されるようになっている。また、第１のバックル１２、１３を通じて胴ベルト１の長さが調節可能になっている。
【００２６】
第２のバックル１４〜１７は、腿ベルト５、６の一方の端に取り付けられ、ベルトの幅方向に細長い矩形開口を備えた第１プレート１４ａ〜１７ａと、腿ベルト５、６の他方の端に取り付けられ、ベルトの幅方向に細長く、第１プレート１４ａ〜１７ａの矩形開口より一回り大きい矩形状の輪郭を有する第２プレート１４ｂ〜１７ｂとからなっている。そして、第２プレート１４ｂ〜１７ｂが、第１プレート１４ａ〜１７ａに対して斜めにされた状態で第１プレート１４ａ〜１７ａの矩形開口に挿通された後、両方のベルトが引っ張られることによって、第２のバックル１４〜１７が連結され、さらに、第２プレート１４ｂ〜１７ｂが、第１プレート１４ａ〜１７ａに対して斜めにされた状態で第１プレート１４ａ〜１７ａの矩形開口から引き出されることによって、第２のバックル１４〜１７が切り離されるようになっている。また、第２のバックル１４〜１７を通じて、腿ベルト５、６の長さが調節可能になっている。
【００２７】
なお、第１および第２のバックル１２、１３；１４〜１７の構成はこの実施例に限定されず、第１および第２のバックルとして公知の任意のバックルを用いることができる。また、第１および第２のバックル１２、１３；１４〜１７を同じ型式のものとしてもよい。
【００２８】
次に、図３〜図５を参照して、本考案によるハーネス型安全帯の装着方法を説明する。
まず、装着に先立って、胴ベルト１の第１のバックル１２、１３、および腿ベルト５、６の第２のバックル１４〜１７がすべて切り離される。そして、使用者は、前後の配置を確認した後、一対の肩掛けベルトの間の開口に頭部が入るようにして、ハーネス型安全帯を被る（図３Ａ参照）。この場合、左右の腿ベルト５、６が互いに異なる色に着色されておれば、前後の配置の確認がより容易になる。
【００２９】
次に、使用者は、第１のバックル１２、１３をそれぞれ連結するとともに、第１のバックル１２、１３を通じてベルトの長さを調節することによって、胴ベルト１を腰のまわりに締付け固定する（図３Ｂ参照）。次に、使用者は、腿ベルト５、６のそれぞれの第２のバックル１４〜１７を連結するとともに、第２のバックル１４〜１７を通じてベルトの長さを調節することによって、腿ベルト５、６を左右の腿のまわりに締付け固定する（図４参照）。最後に、使用者は、肩掛けベルト４ａ、４ｂの第３のバックル１８を通じて肩掛けベルト４ａ、４ｂの長さを調節することによって、肩掛けベルト４ａ、４ｂを左右の肩にしっかりと固定し、それによって、ハーネス型安全帯の装着が完了する（図５参照）。
【００３０】
本考案によれば、ハーネス型安全帯を頭から被った後、体の正面側において、腰の位置の２箇所のバックルと、左右の腿のそれぞれの２箇所のバックルを連結するだけで、狭いスペース内でも、迅速かつ容易にハーネス型安全帯を装着することができる。こうして、本考案によれば、従来例のように、装着時にハーネス型安全帯を履く動作が要らないので、例えば、消防士が、緊急出動している車両中で座席に座ったままでも、ハーネス型安全帯を容易に装着することができる。
【００３１】
図６は、本考案の別の実施例によるハーネス型安全帯を示す図２に類似の図である。図６の実施例は、図１〜図２の実施例と、一対の肩掛けベルトおよび第２の連結ベルトの構成のみが異なるだけである。したがって、図６中、図１〜図２に示したものと同じ構成要素には同一番号を付し、それらの説明を省略する。
【００３２】
図６に示すように、この実施例では、一対の肩掛けベルト２１ａ、２１ｂは、中間に長さ調節用のバックル１８を備えた１本のベルト２１からなっている。そして、このベルト２１は、着用者の正面側において、胸当てベルト２の連結金具２０のスリットに挿通され、この連結金具２０の位置でＶ字状に折り返され、そして、着用者の左右の肩を通過し、着用者の背面側において、保持金具２２に挿通されてＸ字状に交差する。さらに、ベルト２１は、このＸ字状の交差部から下方にのび、胴ベルト１の表面を上下に横切って左右の腿ベルト５、６に達し、そしてここで、ベルト２１の両端部２１ｃが、それぞれ、対応する腿ベルト５、６に連結される。この場合、ベルト２１の各端部２１ｃは、折り返し縫合されて筒状をなし、この筒状部に腿ベルト５、６が挿通されることで、ベルト２１とそれぞれの腿ベルト５、６との連結部が形成されている。
【００３３】
さらに、ベルト２１は、胴ベルト１との交差部の上側および下側において、固定用部材２３ａ、２４ｂのスリット状の間隙中に挿通され、そして、ベルト２１と胴ベルト１との交差部には、ベルト２１と同じ幅を有し、胴ベルト１を上下に横切る裏当てベルト片２４が、ベルト２１の裏面に重ね合わされる。そして、裏当てベルト片２４およびベルト２１間に胴ベルト１が挿通可能な筒状の間隙が形成されるように、裏当てベルト片２４の上下端部が、固定用部材２３ａ、２３ｂのスリットに挿通された後、折り返し縫合されて、固定用部材２３ａ、２３ｂに固定される。こうして、ベルト２１および裏当てベルト片２４の間に形成された筒状の間隙中に胴ベルト１が挿通されることで、肩掛けベルト２１ａ、２１ｂと胴ベルト１との連結部が形成されている。
【００３４】
この実施例では、肩掛けベルト２１ａ、２１ｂの延長部分によって胴ベルト１と腿ベルト５、６を連結したが、胴ベルト１と各腿ベルト５、６は別の連結ベルトによって連結するとともに、肩掛けベルト２１ａ、２１ｂのＸ字状の交差部から下方にのびる部分を胴ベルト１に連結するようにしてもよい。
この実施例のハーネス型安全帯もまた、図１〜図２に示した実施例と同様、狭いスペース内でも迅速かつ容易に着用することができる。
【符号の説明】
【００３５】
１  胴ベルト
２  胸当てベルト
３  背当てベルト
４ａ、４ｂ  肩掛けベルト
５、６  腿ベルト
７  第１の連結ベルト
８  第２の連結ベルト
９、１０、１１  連結部
１２、１３  第１のバックル
１２ａ、１３ａ  バックル本体
１２ｂ、１３ｂ  タングプレート
１４〜１７  第２のバックル
１４ａ〜１７ａ  第１プレート
１４ｂ〜１７ｂ  第２プレート
１８  第３のバックル
１９  連結金具
２０  連結金具
２１、２１ａ、２１ｂ  肩掛けベルト
２２  保持金具
２３ａ、２３ｂ  固定用部材
２４  裏当てベルト片
【図１】
0003159873.tif 000003
【図２】
0003159873.tif 000004
【図６】
0003159873.tif 000005
【図７】
0003159873.tif 000006
【図８】
0003159873.tif 000007
【図９】
0003159873.tif 000008
【図３】
0003159873.tif 000009
【図４】
0003159873.tif 000010
【図５】
0003159873.tif 000011